(57)【特許請求の範囲】
【請求項１】
根管を形成する際に使用するための堅牢な材質からなるアクセスバー（歯科用ドリル）であって、
第１の直径を有する丸いシャンクと、
当該バーの前記シャンクから遠い方の端部に設けられ、前記第１の直径よりも小さい第２の直径を有する先端と、
前記先端と前記シャンクとの間に延びており且つ前記先端に隣接した第１のα部分と、前記シャンクに隣接した第２のβ部分とを含んでいるテーパーが付けられた溝部分であって、その長さに亘って少なくとも１つの物質取り出し部分を有しているテーパーが付けられた溝部分とを含み、
前記テーパーが付けられた溝部分の前記第１のα部分は、テーパーが該α部分の先端から該α部分のシャンク側端部まで連続的に小さくなっており、更に、
当該バーが前記根管を整形するために挿入されるときに前記根管をたどるためのパイロットチップが前記α部分の端部から前方へ延びている、アクセスバー。
【請求項２】
請求項１に記載のアクセスバーであって、
前記β部分の前記溝部分が、前記パイロットチップの後方に前記根管内への直線状の進入経路を切削するために固定のテーパー角度を有しているアクセスバー。
【請求項３】
請求項１又は２に記載のアクセスバーであって、硬質のステンレス鋼によって作られているアクセスバー。
【請求項４】
請求項１又は２に記載のアクセスバーであって、硬質の炭素鋼によって作られているアクセスバー。
【請求項５】
請求項１〜４のうちのいずれか一の項に記載のアクセスバーであって、前記パイロットチップが円滑面を提供しており、該円滑面は、前記根管内へ先導がない状態で進入するのを補助するようになされている、アクセスバー。
【請求項６】
請求項５に記載のアクセスバーであって、
前記パイロットチップが半球状である、アクセスバー。  
【請求項７】
請求項１〜６のうちのいずれか一の項に記載のアクセスバーであって、
前記α部分の前記連続的に変化するテーパーの外形が放物線形状であるアクセスバー。
【請求項８】
請求項１〜７のうちのいずれか位置の項に記載のアクセスバーであって、
前記物質取り出し部分が少なくとも１つの螺旋状のカッティングエッジを含んでいるアクセスバー。
【請求項９】
請求項１〜８のうちのいずれか一の項に記載のアクセスバーであって、
前記物質取り出し部分が少なくとも１つの研磨面を有しているアクセスバー。
【請求項１０】
根管を形成する際に使用するための一組みのアクセスバーであって、
請求項１〜１０のうちのいずれか一の項に記載のアクセスバーが複数個からなる、一組みのアクセスバー。  
【請求項１１】
請求項１０に記載のアクセスバーの組であって、
当該バーの組に含まれるバーの数が３個であるアクセスバーの組。
【請求項１２】
請求項１０又は１１に記載のアクセスバーの組であって、
当該アクセスバーの組に含まれる各バーが、該バーの組に含まれる他のバーのα部分のテーパーの外形とは異なるα部分のテーパーの外形を有しているアクセスバーの組。
【発明の詳細な説明】
【関連出願の説明】
【０００１】
本願は、２００２年１０月１８日に出願された米国仮出願第６０／４１９，６６２号に基づく優先権を主張している。
【発明の分野】
【０００２】
本発明は、概して歯科治療器具に関し、より特別には、人間の歯の根管組織内への理想的な進入形成を形成するために使用される切削バー（歯科用の小さなドリル）及び人間の歯の中に存在する根管を拡大し且つ整形して根管充填するために調製できるようにするために使用される整形ファイル（ヤスリ）に関する。
【背景技術】
【０００３】
比較的一般的ではあるが難しい歯科治療処置は、病的になった人間の歯の根管内に進入して清掃し、整形し及び充填することである。根管処置の実施においては、最初に、典型的には後方歯のための噛合面か門歯のための顎の内側の歯の側面の歯冠又は露出した部分に穴が開けられる。
【０００４】
理想的な進入形態の形成、特に歯根内に容易に進入するためにハンドピース駆動によるファイルのための理想的な進入経路を形成することは、利用可能な切削器具では難しかった。これらの回転式のファイルのための比較的真っ直ぐな進入経路が出来ない場合には回転式ファイルは繰り返し疲労により破損し易いので、正しい進入経路を開けることは重要である。歯科治療のもう一つ別の困難な点は、進入線角の各々とこれらの角度に対する先端の根管オリフィスとの間に滑らかな移行部分を形成することであった。この移行部分の高さに不規則な部分を残すと、根管内への、ファイル、ペーパーポイント又はガッターパーチャポイントの各導入が難題になる。進入経路形成の線角が根管内へと滑らかに低下していると、残りの処置は比較的容易で且つ制御し易い。
【０００５】
種々の形状になっているピーゾ（Ｐｅｅｚｏ）バー及び器具の先端に切削溝又はダイヤモンド砥石を備えていないアクセスバーのようないくつかの解決方法が製造者によって提案されて来た。
【０００６】
ピーゾバーは、種々の形状になっており、そのうちの２つは異なる程度の放物線状のファイル輪郭を有し、別のものはパイロットチップを有し、平行なシャンク溝を備えた四半円溝先端半径を備えている。これらのバーの全てが６〜８ｍｍ／ｍｍ程度の切削溝長さを有している。進入処置において使用する際のこれらのバーの利点は、これらのバーが漏斗形状を根管内に作り且つパイロットチップが棚状突起形状の形成を防止する点である。不幸にも、これらのバーの溝の長さは、殆どの進入形成部分の長さのほんの半分であり、ピーゾの構造のうちの幾つかは根管に棚状突起を形成し、パイロットチップを有するものはこれらの受動的なガイドが理想的な大きさではないので、その使用方法が限られている。
【０００７】
パイロットチップを備えているが端部に溝又はダイヤモンド砥石を備えていないアクセスバーは、進入壁及び根管の壁に棚状突起を形成し得るバーに優る改良点を有している。これらのバーは横から切削するだけであるので、その使用方法が全く限られている。必要なのは、進入空洞の全長に切削溝を有するアクセスバーであり、これは先端方向及び横方向に積極的に切削し、常に棚状突起を形成することなく根管経路をたどる。進入経路の形成が完了し、歯の中に存在する根管の各々が確認且つ処理された後に、次いで、一般的に根管ファイルとして知られている小さな歯科治療器具が使用されて根管内に存在する物質を掻き出して中を清掃し且つ根管に特別な形状を付与して根管内に充填材が挿入されて根管が密封される。しかしながら、この処置中に多くの問題が発生するかも知れない。
【０００８】
本来の根管経路の制御されない輸送が最も一般的な問題である。これは、Ｒｏａｎｅの特許第４，５３６，１５９号に記載されている能動的な先端構造を有する伝統的な根管ファイルにおいてのみならずＭｅＳｐａｄｄｅｎの特許第４，２９９，５７１号及び第４，３３２，５６１号によるもの及びＭａｉｌｌｅｆｅｒらの特許第５，６５８，１４５号におけるもののようなその他のファイル構造においても発生する。特許第４，８３６，７８０号、第５，７５２，８２５号、第５，８３６，７６４号、第５，８４２，８６１号、第５，８９７，３１６号及び第５，９２１，７７５号のような以前の特許においてＢｕｃｈａｎａｎによって記載されたもののような受動的な丸みを付与した先端構造を有するファイルは、これらのファイルが切削した本来の根管経路を中実にたどるが、これらの安全ファイル先端は、切削効率の点で能動的な構造に対してある程度あきらめている。臨床医は、最初のうちは、これらのファイルの付加された切削効率に対して肯定的に反応するけれども、彼らは、長さを誤って判断した場合又はファイルが１秒を超える長い間保持されている場合に先端の裂傷が容易に起こることを短時間で見つけ出す（ＤＦＵにおける製造者の注意）。
【０００９】
更に、Ｂａｕｃｈａｎａｎによって記載されているファイルによって形成された比較的狭い先端形状は根管の端部を綺麗にしないという問題が存在するばかりでなく、根管の端部を更に大きくする方法が存在していた。根尖閉塞形成は、この問題を明らかに解決したけれども、Ｗｅｉｎｅが示しているように（“Ｔｈｅ  Ｅｆｆｅｃｔ  ｏｆ  Ｐｒｏｃｅｄｕｒｅｓ  ｏｎ  Ｏｒｉｇｉｎａｌ  Ｃａｎｌ  Ｓｈａｐｅ  ａｎｄ  ｏｎ  Ａｐｉｃａｌ  Ｆｏｒａｍｅｎ  Ｓｈａｐｅ”Ｊｏｕｒｎａｌ  ｏｆ  Ｅｎｄｏｄｏｎｔｉｃｓ，  ｖｏｌ．  １，Ｎｏ．  ８，  Ａｕｇｕｓｔ  １９８５，  ２２５〜２６２頁）、歯根に損傷を与えないで根管内にこれらのより大きな先端形状を形成することは難しい。
【００１０】
ＭｃＳｐａｄｄｅｎは、彼の特許第４，２９９，５７１号に記載しているように、この問題を解決することを試みた根管ファイルのためのパイロットチップを設計した。不幸にも、この設計によるパイロットチップは、３ｍｍの長さであり、パイロットチップの後方に設けられた切削溝は０．０２ｍｍ／ｍｍの小さなテーパーを有していた。ファイルが根管の壁に接触する前にパイロットチップが根管内に接合する場合が多いので、このファイル構造の機能は限られており、従って、これらのファイルによってより大きな形状を形成することは不可能であった。
【発明の開示】
【００１１】
本発明の目的は、根管内に進入し且つ整形するためのより速く且つ安全な切削器具を実現することである。これは、主として、複雑化されたパイロットチップ構造、パイロットチップの後方領域（ここでは、“アルファ”又はα領域と称される）に設けられた放物線状の切削溝及び（ここでは、“ベータ”又はβ領域と称される）アルファ領域とシャンクとの間の領域を含んでいる矛盾のない長さ及びより小さなテーパーを有する切削溝を組み入れている設計的考え方によって実現されている。この設計概念は、進入路形成バー、根管拡大ファイル及び仕上げファイルに適用される。
【００１２】
本願出願人による出願（第１０／６３０．０２８号）に開示されたファイルは、各ファイルの２つの部分に対して２つの別個のテーパー程度が設けられている。本願の一部分として多数のテーパーを有するファイルの付加的なグループを想定しており、これらのファイルのグループにおいては、先端におけるテーパーは１つの値であり、シャンクに隣接したファイルの部分のテーパーは別の値であり、先端からの距離に関して１つの値から他の値まで徐々にではあるが連続的な変化が存在する。言い換えると、これらのグループのファイルは、切削溝の対応する部分に対して２つの固定されたテーパーの度合いに限定されず、むしろテーパーの変化が先端からシャンク部分まで或る半径に亘って生じる。テーパーの変化が丸みを付けられた部分に亘って設けられているこれらのタイプのファイルを放物線状ファイルと称する。本出願人は、これらのファイルを歯科治療器具の放物線型装置の中に組み入れている。
【００１３】
ここに記載されているタイプのファイルは、丸みを付けられたパイロットチップが設けられる場合には著しく改良される。丸みを付けられたパイロットチップを備えた放物線形状のファイルは、丸みを付けられた先端のために遙かに安全であり且つ根管内に棚状突起が形成される虞が排除されることを実質的に保証する。
【００１４】
本発明の一つの好ましい構造においては、一組みの異なる放物線形状のファイルの丸みを付けられたパイロットチップは、８つの異なる放物線形状のファイルに対して長さが１ｍｍであり且つ１ｍｍの位置で測定した場合に８つの異なる直径を有している。非切削性のパイロットチップの後方のテーパーが付けられたアルファ部分は、この放物線状ファイル装置の全てのファイルに対して長さが３ｍｍであり且つ傾斜が０．１０ｍｍ／ｍｍである。全てのファイルに対して、シャンクまで延びているベータテーパー部分は、長さが１２ｍｍであり０．０５ｍｍ／ｍｍの角度又は傾斜を有している。１ｍｍのパイロットチップ長さ、３ｍｍのアルファ部分長さ及び１２ｍｍのシャンクの長さにおいて、全ての器具がシャンク−端部溝部分に対して伝統的な１６ｍｍの限度を有している。これらは、左手及び右手の両方の溝方向に手動溝ファイルが作られた手動型及びハンドピース駆動型で提供される。
【００１５】
これらの放物線形状のファイルのための種々の重要な寸法は次の表Ｉに列挙されている。これらの寸法はミリメートルで表されている。
表  Ｉ
（ミリメートル）
Ｄ１ Ｄ４ Ｄ１６
．１        ．４      １．０５
．２        ．５      １．１５
．３        ．６      １．２５
．４        ．７      １．３５
．６        ．９      １．５５
．８      １．１      １．７５
１．０      １．３      １．９５
１．３      １．６      ２．２５
Ｄ１はファイルの端部から１ｍｍの位置の直径である。Ｄ４は端部から４ｍｍ（先端から３ｍｍ）の位置の直径である。Ｄ６は端部から１６ｍｍ（先端から１５ｍｍ）の位置の直径である。
【００１６】
処理器具については、放物線状の処理ファイルは比較的簡単で且つ上記した放物線状ファイルよりも数が少ない。これらは、チップ部の直径が０．０６ｍｍ、０．０８ｍｍ、０．１０ｍｍ及び０．１５ｍｍで提供されており、全てが０．０２ｍｍ／ｍｍのテーパーが付けられた１６ｍｍの溝の長さを有している。第２のシリーズは、ファイル毎に変更することができるテーパー及びいくつかの異なるチップ部の直径、特に０７５−０．０２、１０−．０３、１５−．０４及び２０−．０５のチップ部の直径を採用している。これらの両シリーズは、独特の丸みを付けられたパイロットチップを有しており且つ手動ファイル又は回転式ファイルとして提供することができる。
【００１７】
この器具のグループにおけるパイロットチップは、根管の棚状突起形成を絶対的に防止する完全に丸みを付けられた幾何学的構造と独特の機能を可能にする使用方法が特別な設計によって差別化される。この器具のグループに含まれる全ての器具は、パイロットチップ、アルファ放物線状テーパー部分及びベータ放物線状テーパー部分を有しているけれども、３つの組の器具の各々が異なる機能を有しており、従って、パイロットチップの異なる概念及び大きさを必要とする。アクセスバーにおいては、パイロットチップは、小さい歯根、中間の大きさの歯根及び大きな歯根において冠状歯根直径に関する量（０．２、０．３及び０．４ｍｍ）だけ変わる。これらのパイロットチップは、サイズ間で直径が増大するにつれて比例して長くなる。このことは、湾曲した根管内に過剰に伸長する危険を防止する助けとなる。
【００１８】
最初に使用される根管拡大ファイルにおいては、パイロットチップは全て直径が０．２ｍｍであり長さが１ｍｍである。なぜならば、これらは、回転式整形にとって欠くことが出来ない長さに作られた＃１５処理ファイルによって切削された案内経路をたどるように設計されているからである。これらのパイロットチップの機能により、安全性を無くすることなく集中的な切削溝彫り及び比較的高速度をこれらのファイルにおいて使用することができる。
【００１９】
仕上げファイルについては、この仕上げファイルは、最終的な整形対象物が得られたときを歯科医に伝えるために、最終的な根管直径を自動的に計測するように設計されているので、やはり特別なものである。整形は、仕上げファイルのパイロットチップが整形されている根管の最終的な直径に適合したときに完了する。歯科医は、シリーズのうちの次の更に大きい仕上げファイルが根管内の長さ一杯まで動こうとしないときに整形が完了したことを認識する。なぜならば、更に大きいパイロットチップは根管の末端を束縛するからである。
【００２０】
放物線状のファイルの形状は、パイロットチップの円筒形のシャンク側端部のすぐ近くから始まり且つ各シリーズに含まれるファイル毎に設定された距離（典型的には３〜５ｍｍ）のところで終わっている。放物線形状は、大まかには、アルファ領域のシャンク側端部がすぐ隣に隣接しているベータ輪郭に接するように、ポイント毎に丸みを付けられた湾曲部を備えた０．１０テーパーとして記載することができる。これは、切削溝の放物線状アルファ領域であり且つ漏斗状ファイルと充填材とが根管内に進入し且つその中を通って最終的にはその末端まで達する形状を切削するように明確に設計されている。
【００２１】
この放物線状のアルファ領域の後方にはベータ領域が設けられている。これは、各々の共通のシリーズに含まれるファイル間で一貫した長さ及びテーパーの溝形状を含んでいる。好ましい実施形態においては、これらの溝部分は、進入線角及び根管形状に敏感なテーパーを付与するためにアクセスバーと仕上げファイルとに０．０５のテーパーを有している。最初の拡大ファイルは、ベータ領域の形状が平行であり且つ溝が尖らないで鈍くされている点で異なっている。これは、非切削ベータ領域が受動的に従い且つ切削破片を掻き出す間に正にそれらの鋭いアルファ領域が安全に曲線の周囲を切削するのを可能にする。
【００２２】
好ましい実施形態においては、アクセスバーは硬質のステンレス鋼又は炭素鋼によって作られる。アルファ領域とベータ領域との上にダイヤモンド砥石がメッキされた代替的な設計が存在する。好ましい実施形態においては、最初の根管拡大ファイルと根管仕上げファイルとはニッケルチタン合金によって作られている。このような材料であっても、これらの器具は全て、限定的ではないが、窒化チタンのような硬化剤によって処理することができる。
【００２３】
アクセスバーは、パイロットチップが根管をたどるので、根管穴内に押し込まれたときにその放物線状先端溝によって先端方向に切削するように意図されている。側方切削溝の構造は、次いでバーが進入線角まで跳ね上げられて全ての器具及び材料がたどる直線状の進入経路を切削するので自由に動くようになる。これらのバーは５，０００〜２０，０００ＲＰＭの速度で使用される。
【００２４】
初期拡大ファイルは、ニッケルチタン合金によって作られるのが好ましく且つ根管内に迅速に冠形状を切削形成するために１２００〜１５００ＲＰＭで使用される。このシリーズに含まれる３つのファイルの各々は、０．２ｍｍの直径の同じパイロットチップを有しており、従って、これらはその尖った放物線状の先端溝によって既に処理された根管内をたどり、これらは全て器具が切削した冠形状の根管の曲線の内側へ入るのを防止するためにテーパーが付けられた非切削性ベータ溝を有している。
【００２５】
仕上げ用の放物線状のファイルのシリーズもまた、ニッケルチタン合金によって作られているが、形成された根管の端部まで進められるときに約３００ＲＰＭの比較的遅い速度で使用される。これらの器具は、容易に進入できるような十分な根管形状で且つ最も小さな最も湾曲した根管内で安全であるように十分狭い０．０５ｍｍ／ｍｍのテーパーを有する変動する大きさ、尖った放物線状のアルファ溝及び尖った放物線状ベータ溝とを有している。これらの仕上げ用ファイルは、従来の閉塞形成における問題のある棚状突起形成ではなく安全な先端丸みを有するにもかかわらず多くの臨床医によって望まれる比較的大きな根尖形成及び根尖閉塞形成を切削形成する。
【００２６】
このシリーズの仕上げ用ファイルは、狭い根管内で使用される比較的小さいサイズのファイル間での少ない増分と比較的大きなサイズのファイル内のチップ直径の比較的大きな増分との間の種々の間隔でチップの直径が変わり、このようにして、全体でせいぜい８種類の大きさの極めて広範囲の先端根管直径を扱うことができる。
【好ましい実施形態の説明】
【００２７】
本発明のより良い理解は添付図面と組み合わせてなされている以下の詳細な説明を考慮することによって実現される。
図１は、種々の大きさであり且つ各々α部分とβ部分とに分割されているテーパーが付けられた３つの歯科治療用ファイル１２、１４及び１６を示している。これらは、先行出願ＰＣＴＵＳ０２／０３５１６号の多テーパーを有するファイルを示している。この出願に開示されているファイルは、α−β接合部に角度の明確な変化を有するα部分及びβ部分に２つの別個のテーパー角度を含んでいる。
【００２８】
図２及び３は、本発明の異なる実施形態を概略的に示している。図２は、パイロットチップ２０と切削溝２２ａ〜２２ｄとを有する一つの特別なファイル１８を図示している。一つの切削溝から次の切削溝までのテーパーの変化は、輪郭２４によって示されているように放物曲線形状で連続している。ファイルのα部分とβ部分とは異なるテーパー角度を有しており、α部分からβ部分へのテーパーの変化は、丸みを付けられた曲線形状によって連続している。
【００２９】
図３は、図２のものと類似したファイル１９のパイロットチップとα部分との拡大図である。パイロットチップ２０ａは１８０度に亘って完全に丸みを付けられたていて根管内に棚状突起が形成されるのを防止しつつファイルのためのガイド経路を形成し且つファイルが根管内に進入するのを許容するファイルの前方端部の滑らかな面を示している。ファイル１９のパイロットチップ２０ａには、ファイルのカッティングエッジの近くにある切削破片を捕獲する機能を果たし且つ捕獲した切削破片を切削チップから取り出す螺旋状の溝２５が設けられている。この螺旋状の溝２５は非切削性幾何学的構造を有している。
【００３０】
図４は、１８ａ、１８ｂ及び１８ｃのような３つの放物線状に湾曲したファイルを示している。これらは、湾曲線３０によって示された対応する根管内に配置された状態で示されている。これらの図面は、根管内にパイロット穴を形成している直径が小さいファイル１８ａを示している。
【００３１】
図４は、根管３０ａ〜３０ｃ内に挿入された異なる大きさの仕上げファイル１８ａ、１８ｂ及び１８ｃを示している。比較的小さいサイズのファイル１８ａは、根管内に初期の切削を形成する。ファイル１８ｂは、その先端深さまで根管を仕上げるように選択された比較的大きなサイズのものである。ファイル１８ｃは、ファイル１８ｂによって切削されたガイド経路をたどった状態で示されているが、直径が幾分大きいのでファイル１８ｂのパイロットチップによって切削された終端形状３２に到達する前に根管内できつくて動かなくなっている。
【００３２】
図５Ａは、各々が小、中、大で示されているα部分及びβ部分を有している異なる大きさの３つのアクセスバーの組を示している。これらのアクセスバーは、小さいサイズ４０ａから中間のサイズ４０ｂを介して大きなサイズ４０ｃまでの範囲に亘っている。アクセスバー４０は、パイロットチップ４２ａ、４２ｂ及び４２ｃが根管をたどる際に根管オリフィス内に挿入されたときに放物線状の先端溝４２ａ、４２ｂ及び４２ｃによって先端方向に切削する形状とされている。側方切削溝４４は、器具及び材料の全てがたどるための直線状の進入経路を切削するために固定されたテーパー角度を有している。
【００３３】
図５Ｂは、図５Ａに示されているアクセスバーの拡大断面図である。
図６Ａは、図４の放物線状のファイル１８ａ、１８ｂ及び１８ｃのα部分及びβ部分を示している。
【００３４】
図６Ｂは、全てが異なるサイズであり且つ形状が放物線状である８個の一連の仕上げファイル１８を示している。これらのファイルにおいては、パイロットチップ２０は、ファイル１８のサイズに対応する種々のサイズである。図６Ｂのこれらのファイルのサイズは、直径が０．２０乃至１．３０ｍｍの範囲である。
【００３５】
図７Ａ〜７Ｄは、本発明による４つの多テーパーのファイル７１、７２、７３及び７４の組を概略的に図示している。これらのファイルの各々は、第１のα部分が先端８０に隣接しており、第２のβ部分が先端から離れてシャンク（図示せず）まで後方へと延びている状態で示されている。α部分とβ部分とは、同じファイル内で異なるテーパーを有しており、第１の部分内のテーパーもまたファイル間で異なっている。ファイル７１においては、第１の部分のテーパーは０．１２である。ファイル７２においては、第１の部分のテーパーは０．１０である。ファイル７３においては、第１の部分のテーパーは０．０８である。ファイル７４においては、第１の部分のテーパーは０．０６である。図７Ａ〜７Ｄによって示されている第１のグループのファイルにおいては、第２のβ部分のテーパーは０．０２ｍｍ／ｍｍである。第２のグループのファイルにおいては、同じく図７Ａ〜７Ｄの図面によって示されているように、第２のβ部分のテーパーは０．０４ｍｍ／ｍｍである。図７Ａ〜７Ｄのファイルは上記されている。これらのファイル及び図８〜１０に示されている残りのファイルには、丸みが付けられた面が設けられており、これらの丸みが付けられた面においては、テーパーの変化は、第１の部分のテーパーの先端から第２の部分のテーパーまでの距離に亘って徐々に生じている。これは、図７〜１０の領域Ｃ内の曲線によって示されている。
【００３６】
図８Ａ〜８Ｄは、本発明による更に別の対のファイルのグループを概略的に図示している。図８Ａ〜８Ｄは、多テーパーを有する構造のファイル８１、８２、８３及び８４を示している。ファイル８１〜８４の各々においては、先端９０に隣接した第１の部分αと先端から離れた位置からシャンクまで延びている第２の部分βとが設けられている。これらのファイルのグループにおいては、第１の部分は他の第１の部分と長さが異なっており、第１の部分αの比較的大きなテーパー（０．１２）を有するファイル８１に対しては最も短く、ファイル８２における０．１０から始まってファイル８４における０．０６で終わるまで第１の部分のテーパーが小さくなるにつれて、ファイル８２、８３及び８４に対して連続的に長くなっている。
【００３７】
図７Ａ〜７Ｄのファイルのグループにおけるように、一つのグループのファイル８１〜８４は、第２の部分βに対して０．０２ｍｍ／ｍｍのテーパーを有し、一方、もう一つのグループは第２の部分βに対して０．０４ｍｍ／ｍｍのテーパーを有している。
【００３８】
図９Ａ〜９Ｄは、本発明による４つの多テーパーのファイル９１、９２、９３及び９４のもう一つ別の組を概略的に図示している。これらのファイルの各々は、第１のα部分が先端１００に隣接しており、第２のβ部分が先端から離れた位置からシャンク（図示せず）まで後方へと延びている状態で示されている。α部分とβ部分とは、同じファイル内で異なるテーパーを有しており、第１の部分内のテーパーもまたファイル間で異なっている。ファイル９１においては、第１の部分のテーパーは０．１２である。ファイル９２においては、第１の部分のテーパーは０．１０である。ファイル９３においては、第１の部分のテーパーは０．０８である。ファイル９４においては、第１の部分のテーパーは０．０６である。
【００３９】
これらのファイル９１〜９４においては、第２の部分のテーパーはファイル毎に異なり、第１の部分のテーパーが小さくなるにつれてテーパーが増加している。ファイル９１においては、第２の部分のテーパーは０．０１ｍｍ／ｍｍであり、ファイル９２においては０．０２ｍｍ／ｍｍであり、ファイル９３においては０．０３ｍｍ／ｍｍであり、ファイル９４においては０．０４ｍｍ／ｍｍである。
【００４０】
図１０Ａ乃至１０Ｄは、本発明による更に別のファイルのグループを示している。図１０Ａ乃至１０Ｄは多テーパー構造のファイル１０１、１０２、１０３及び１０４を示している。ファイル１０１〜１０４の各々においては、先端１００に隣接した第１の部分αと先端から離れた位置からシャンクまで延びている第２の部分βとが設けられている。これらのファイルのグループにおいては、第１の部分は他の第１の部分と長さが異なっており、第１の部分αの比較的大きなテーパー（０．１２）を有するファイル１０１に対しては最も短く、ファイル１０２における０．１２から始まってファイル１０４における０．０６で終わるまで第１の部分のテーパーが小さくなるにつれて、ファイル１０２、１０３及び１０４に対して連続的に長くなっている。
【００４１】
これらのファイル１０１〜１０４においては、第２の部分のテーパーはファイル毎に異なり、第１の部分のテーパーが小さくなるにつれてテーパーが増加している。ファイル１０１においては、第２の部分のテーパーは０．０１ｍｍ／ｍｍであり、ファイル１０２においては０．０２ｍｍ／ｍｍであり、ファイル１０３においては０．０３ｍｍ／ｍｍであり、ファイル１０４においては０．０４ｍｍ／ｍｍである。
【００４２】
図１１において拡大された形態で示されているファイルは、直径Ｄ１、Ｄ４及びＤ１６ばかりでなく、表Ｉに提供されたものに対応する長さ寸法を有している。図１２は、本発明を実施化している種々のファイルのパイロットチップのための種々の放物曲線ａ、ｂ及びｃを示している。
【００４３】
図１３は、２つの異なる深さまで根管内に挿入された一対のファイル６０及び６２を示している。ファイル６０は、根管６１内に挿入された状態で示されている。ファイル６２は根管６３内に挿入されている。根管６１は、根管６３よりも更に湾曲しており、関連するファイル６０は根管６１内で対応する形状を呈しており、一方、ファイル６２は比較的真っ直ぐであり、根管６３は基端が根管６１よりも広く開口している。
【００４４】
図１４は、異なる形状及びサイズのアクセスバー６４、６６及び６８のグループを示している。しかしながら、各々に、パイロットチップが、すなわちバー６４に対して６５、バー６６に対して６７，バー６８に対して６９が設けられている。アクセスバー６４及び６６は、各々、パイロットチップから後方へ延びている放物線形状を有している。
【００４５】
以上、本発明が有利に使用できる方法を示す目的で本発明によるパイロットチップ及び放物線状切削溝を備えた歯科治療用器具の種々の特別な構造を示したけれども、本発明はこれに限定されないことが理解されるであろう。従って、当業者が想到できるあらゆる且つ全ての変形例、変更例又は等価物が特許請求の範囲に規定されている本発明の範囲内に含まれるものと考えられるべきである。
【図面の簡単な説明】
【００４６】
【図１】図１は、アルファ部分とベータ部分とに分割された３つの放物線状のファイルを複数示している正面図である。
【図２】図２は、本発明による一つの特別なファイルの正面図であり、アルファ部分の端部に設けられたパイロットチップを示している。
【図３】図３は、変形例を示している図２と似たファイルのアルファ部分とパイロットチップとの拡大図である。
【図４】図４は、図１のものと似ているが、チップの末端から離れる方向へ外方へと延びている放物線状の外径に対応する形状で提供されているパイロットチップを備えたファイルの    正面図である。
【図５Ａ】図５Ａは、アルファ部分及びベータ部分並びに前記アルファ部分から延びているパイロットチップを備えた大きさが小、中、大の３つの異なるバーの正面図である。
【図５Ｂ】図５Ｂは、図５Ａのファイルの断面を示している図である。
【図６Ａ】図６Ａは、図１と似ているが、図示されているアルファ部分から延びているパイロットチップを備えている正面図である。
【図６Ｂ】図６Ｂは、表Ｉにおいて設定されたものに対応する寸法を有する８個のファイルの組を示している正面図である。
【図７Ａ】図７Ａは、本発明による第１のグループの放物線状のファイルの正面図である。
【図７Ｂ】図７Ｂは、本発明による第１のグループの放物線状のファイルの正面図である。
【図７Ｃ】図７Ｃは、本発明による第１のグループの放物線状のファイルの正面図である。
【図７Ｄ】図７Ｄは、本発明による第１のグループの放物線状のファイルの正面図である。
【図８Ａ】図８Ａは、別のグループの多テーパーを有するファイルの正面図である。
【図８Ｂ】図８Ｂは、別のグループの多テーパーを有するファイルの正面図である。
【図８Ｃ】図８Ｃは、別のグループの多テーパーを有するファイルの正面図である。
【図８Ｄ】図８Ｄは、別のグループの多テーパーを有するファイルの正面図である。
【図９Ａ】図９Ａは、更に別のグループの多テーパーを有するファイルの正面図である。
【図９Ｂ】図９Ｂは、更に別のグループの多テーパーを有するファイルの正面図である。
【図９Ｃ】図９Ｃは、更に別のグループの多テーパーを有するファイルの正面図である。
【図９Ｄ】図９Ｄは、更に別のグループの多テーパーを有するファイルの正面図である。
【図１０Ａ】図１０Ａは、更に別のグループの多テーパーを有するファイルの正面図である。
【図１０Ｂ】図１０Ｂは、更に別のグループの多テーパーを有するファイルの正面図である。
【図１０Ｃ】図１０Ｃは、更に別のグループの多テーパーを有するファイルの正面図である。
【図１０Ｄ】図１０Ｄは、更に別のグループの多テーパーを有するファイルの正面図である。
【図１１】図１１は、放物線状ファイル装置の一つの特別なファイルの概略的に表された拡大図である。
【図１２】図１２は、図１１のファイルの先端部分の概略図である。
【図１３】図１３は、根管の形状に従うようにファイルが曲がっている状態の湾曲した根管内にあるファイルの２つの概略図である。
【図１４】図１４は、本発明の特別な特徴を表している３つのファイルの概略図である。
【図１】
0004619790.tif 000002
【図２】
0004619790.tif 000003
【図３】
0004619790.tif 000004
【図４】
0004619790.tif 000005
【図５Ａ】
0004619790.tif 000006
【図５Ｂ】
0004619790.tif 000007
【図６Ａ】
0004619790.tif 000008
【図６Ｂ】
0004619790.tif 000009
【図７Ａ】
0004619790.tif 000010
【図７Ｂ】
0004619790.tif 000011
【図７Ｃ】
0004619790.tif 000012
【図７Ｄ】
0004619790.tif 000013
【図８Ａ】
0004619790.tif 000014
【図８Ｂ】
0004619790.tif 000015
【図８Ｃ】
0004619790.tif 000016
【図８Ｄ】
0004619790.tif 000017
【図９Ａ】
0004619790.tif 000018
【図９Ｂ】
0004619790.tif 000019
【図９Ｃ】
0004619790.tif 000020
【図９Ｄ】
0004619790.tif 000021
【図１０Ａ】
0004619790.tif 000022
【図１０Ｂ】
0004619790.tif 000023
【図１０Ｃ】
0004619790.tif 000024
【図１０Ｄ】
0004619790.tif 000025
【図１１】
0004619790.tif 000026
【図１２】
0004619790.tif 000027
【図１３】
0004619790.tif 000028
【図１４】
0004619790.tif 000029